(57)【要約】【課題】  第一表示体に対して開閉する第二表示体の荷重がその開閉軸の周辺部に局所的にかかりにくくした遊技機を提供する。【解決手段】  前扉１０ｂの前面側に第一表示体５１と第二表示体５２とを備え、第二表示体５２が、その第二表示面α２が第一表示体の第一表示面α１の側方に並んだ状態になる開位置と、その第二表示面α２が後向きになって第一表示面α１の前面側に重なる閉位置との間で、非水平方向の開閉軸Ｌ１を中心として開閉可能な構造とされた遊技機１０において、前扉１０ｂにおける第二表示体５２の下側に位置する部分に、上向き面β２を有するステージ部１０ｂ２を設け、第二表示体５２の下端面における、開閉軸Ｌ１よりも開閉端側に位置する部分に、第二表示体５２が開閉する際にステージ部１０ｂ２の上向き面β２に当接し続けることにより、第二表示体５２を支持するための第二表示体用下側支持部５２ａを設けた。【選択図】  図３
2019037705.tif 000002
【特許請求の範囲】
【請求項１】
遊技機筺体の前扉の前面側に、
第一表示面を前面側に有する第一表示体と、
第二表示面を前面側に有する第二表示体と、
を備え、
第二表示体が、
その第二表示面が第一表示体の第一表示面の側方に並んで、第一表示面及び第二表示面の双方が遊技者から視認可能な状態になる開位置と、
その第二表示面が後向きになって第一表示面の前面側に重なり、第一表示面の少なくとも一部が遊技者から視認できない状態になる閉位置と、
の間で、非水平方向の開閉軸を中心として開閉可能な構造とされた
遊技機であって、
前扉における第二表示体の下側に位置する部分に、上向き面を有するステージ部が設けられ、
第二表示体の下端面における、前記開閉軸よりも開閉端側に位置する部分に、第二表示体が開閉する際にステージ部の上向き面に当接し続けることにより、第二表示体を支持するための第二表示体用下側支持部が設けられた
ことを特徴とする遊技機。
【請求項２】
第二表示体用下側支持部が、第二表示体の厚さ方向略中間部に配された請求項１記載の遊技機。
【請求項３】
第二表示体用下側支持部の前面側及び／又は後面側に、装飾部材が配され、
当該装飾部材によって、第二表示体用下側支持部が遊技者から視認されにくくされた
請求項１又は２記載の遊技機。
【請求項４】
第二表示面の下縁が、第二表示体の開閉端側から前記開閉軸に近づくにつれて高くなるように傾斜されて、
第二表示面の上縁と下縁との間隔が、第二表示体の開閉端側から前記開閉軸に近づくにつれて狭くなるように形成されることにより、
第二表示面がパース枠状に形成されるとともに、
前記装飾部材が、第二表示面の下縁よりも下側に位置する部分であって、前記パース枠の余白となる部分に配された
請求項３記載の遊技機。
【請求項５】
前扉に、
メダルを投入するためのメダル投入口と、
メダルを払い出すためのメダル払出口と、
を備え、
前記装飾部材の下端縁とステージ部の上向き面との隙間が、メダルの厚さ以上に設定された
請求項３又は４記載の遊技機。
【請求項６】
第二表示体用下側支持部の前側近傍及び／又は後側近傍に、メダル押出部が設けられ、
前記装飾部材の下端縁とステージ部の上向き面との隙間における、第二表示体用下側支持部の前側又は後側にメダルが入り込んだ場合であっても、第二表示体を開く及び／又は閉じる際に、そのメダルがメダル押出部によって押し出されるようにした
請求項５記載の遊技機。
【請求項７】
メダル押出部によって押し出されたメダルが第二表示体と前扉との間に挟み込まれないようにするためのメダル逃し部が、前扉におけるステージ部の近傍に設けられた請求項６記載の遊技機。
【請求項８】
第二表示体用下側支持部が、その外周面がステージ部の上向き面に摺接し、第二表示体の開閉に伴って回転する第二表示体用下側支持ローラとされた請求項１〜７いずれか１つに記載の遊技機。
【発明の詳細な説明】
【技術分野】
【０００１】
本発明は、液晶表示装置等からなる表示体が、遊技機筺体の前扉の前面側に設けられた遊技機に関する。
【背景技術】
【０００２】
回胴式遊技機やパチンコ遊技機等の遊技機としては、遊技機筺体の前扉の前面側に、液晶表示装置が設けられた機種が主流となっている。近年には、演出効果を高めること等を目的として、複数の液晶表示装置を備えた遊技機も登場し、そのなかには、一の液晶表示装置（第一表示体）に対して、他の液晶表示装置（第二表示体）を開閉可能な状態に設けたものも見受けられるようになってきている。
【０００３】
例えば、特許文献１の図２には、中央表示装置８Ｃ（第一表示体）に対して、左側表示装置８Ｌ及び右側表示装置８Ｒ（第二表示体）を観音開き状に開閉できる状態で設けた遊技機が記載されている。特許文献１には、上記の構成を採用することによって、左側表示装置８Ｌ及び右側表示装置８Ｒ（第二表示体）が中央表示装置８Ｃ（第一表示体）に対して開いた開状態（同文献の図２（ｂ））と、左側表示装置８Ｌ及び右側表示装置８Ｒ（第二表示体）が中央表示装置８Ｃ（第一表示体）に対して閉じた閉状態（同文献の図２（ａ））とを切り替えることによって、従来にない斬新な演出を行うことが可能になる旨が記載されている（同文献の段落００３５）。また、特許文献１には、左側表示装置８Ｌ及び右側表示装置８Ｒ（第二表示体）を自動で開閉する場合（同文献の段落００１４）のほか、手動で開閉する場合（同文献の段落０１０２）についても記載されている。
【先行技術文献】
【特許文献】
【０００４】
【特許文献１】特開２００９−１３１４２４号公報
【発明の概要】
【発明が解決しようとする課題】
【０００５】
ところが、特許文献１のように、第一表示体に対して第二表示体を開閉可能な構造とした遊技機においては、第二表示体の荷重がその開閉軸の周辺部に局所的にかかるようになる。特に、第二表示体を手動で開閉する構造を採用した場合には、第二表示体を開閉する操作者が第二表示体に過大な力を加える可能性もあり、第二表示体の周辺部に大きな力が加わることもあり得る。また、第二表示体を手動で開閉するか自動で開閉するかにかかわらず、第二表示体の上側に遊技者の持ち物（カバン等）や手が置かれる可能性があるし、遊技に熱中した遊技者が第二表示体に衝撃を加える可能性もある。このため、第一表示体に対して第二表示体を開閉可能な構造とした遊技機においては、第二表示体の開閉軸の周辺部が破損する虞や、破損しないまでも当該周辺部に歪みが生じて第二表示体の開閉軸が傾く虞があった。第二表示体の開閉軸が傾くと、第二表示体が他の部材に干渉して所望の開閉動作を行うことができなくなる場合もある。
【０００６】
本発明は、上記課題を解決するために為されたものであり、第一表示体に対して第二表示体を開閉可能な構造としながらも、第二表示体の荷重がその開閉軸の周辺部に局所的にかかりにくくすることで、第二表示体の開閉軸の周辺部の破損や歪みを防止し、第二表示体に所望の開閉動作を行わせ続けることができるようにした遊技機を提供するものである。
【課題を解決するための手段】
【０００７】
上記課題は、
遊技機筺体の前扉の前面側に、演出を行うための演出用表示装置が設けられ、
演出用表示装置が、
第一表示面を前面側に有する第一表示体と、
第二表示面を前面側に有する第二表示体と、
を備え、
第二表示体が、
その第二表示面が第一表示体の第一表示面の側方に並んで、第一表示面及び第二表示面の双方が遊技者から視認可能な状態になる開位置と、
その第二表示面が後向きになって第一表示面の前面側に重なり、第一表示面の少なくとも一部が遊技者から視認できない状態になる閉位置と、
の間で、非水平方向の開閉軸を中心として開閉可能な構造とされた
遊技機であって、
前扉における第二表示体の下側に位置する部分に、上向き面を有するステージ部が設けられ、
第二表示体の下端面における、前記開閉軸よりも開閉端側に位置する部分に、第二表示体が開閉する際にステージ部の上向き面に当接し続けることにより、第二表示体を支持するための第二表示体用下側支持部が設けられた
ことを特徴とする遊技機
を提供することによって解決される。
【０００８】
かかる構成によって、開閉する第二表示体の荷重を第二表示体用下側支持部に分散させ、第二表示体の荷重がその開閉軸の周辺部に局所的にかからないようにすることが可能になる。このため、第二表示体の開閉軸の周辺部の破損や歪みを防止し、第二表示体に所望の開閉動作を行わせ続けることが可能になる。本発明の遊技機において、第二表示体は、遊技者等によって手動で開閉される場合と、モーター等の駆動装置によって自動で開閉される場合とのいずれもあり得る。
【０００９】
本発明の遊技機において、第二表示体用下側支持部は、第二表示体の前面近傍や後面近傍に設けてもよいが、第二表示体の厚さ方向略中間部に配すると好ましい。
【００１０】
かかる構成によって、第二表示体を前面側から見た場合（第二表示体が開位置にある場合等）と後面側から見た場合（第二表示体が閉位置にある場合等）とのいずれにおいても、遊技者から第二表示体用下側支持部が見えにくくして、遊技機の外観品質を高めることが可能になる。また、第二表示体を開位置から閉位置へ移動させる場合と、閉位置から開位置へ移動させる場合とのいずれにおいても、第二表示体用下側支持部によって、第二表示体をバランスよく支持することも可能になる。この構成は、後述するように、第二表示体用下側支持部をローラ（第二表示体用下側支持ローラ）で構成する場合に好適に採用することができる。
【００１１】
本発明の遊技機においては、
第二表示体用下側支持部の前面側及び／又は後面側に、装飾部材を配し、
当該装飾部材によって、第二表示体用下側支持部が遊技者から視認されにくくする
ことも好ましい。
【００１２】
かかる構成によって、第二表示体用下側支持部を遊技者からさらに見えにくくして、遊技機の外観品質をさらに高めることが可能になる。また、第二表示体の下側の隙間部分を装飾のために有効に活用することも可能になる。この構成は、後述するように、第二表示体用下側支持部をローラ（第二表示体用下側支持ローラ）で構成する場合に好適に採用することができる。
【００１３】
本発明の遊技機において、前記装飾部材を設ける場合には、
第二表示面の下縁を、第二表示体の開閉端側から前記開閉軸に近づくにつれて高くなるように傾斜させて、
第二表示面の上縁と下縁との間隔を、第二表示体の開閉端側から前記開閉軸に近づくにつれて狭くなるように形成することにより、
第二表示面をパース枠状に形成するとともに、
前記装飾部材を、第二表示面の下縁よりも下側に位置する部分であって、前記パース枠の余白となる部分（第二表示面をパース枠状に形成しなかったと仮定した場合（第二表示面を矩形状に形成した仮定した場合）に、第二表示面が存在する部分。以下、「パース枠の余白部」と呼ぶことがある。）に配する
ことも好ましい。
【００１４】
かかる構成のように、第二表示面をパース枠状にすることによって、第二表示体が開位置にある状態において、第二表示面による表示を実際よりも遠近感のある状態で行い、第一表示面及び第二表示面の表示内容を、迫力や臨場感のあるものとすることが可能になる。このとき、前記装飾部材を、第二表示面のパース枠の余白部に配することによって、当該余白部を装飾のために有効に活用することも可能になる。このため、第二表示体用下側支持部の存在を遊技者により気付かせにくくすることも可能になる。第二表示面をパース枠状に形成する構成は、第一表示体の片側にのみ第二表示体を配置する場合（第二表示体を片開き構造とする場合）で採用することもできるが、第一表示体の両側に第二表示体を配置する場合（第二表示体を観音開き構造とする場合）で採用すると、より効果的である。
【００１５】
本発明の遊技機において、前記装飾部材を設ける場合には、
前扉に、
メダルを投入するためのメダル投入口と、
メダルを払い出すためのメダル払出口と、
を備え、
前記装飾部材の下端縁とステージ部の上向き面との隙間を、メダルの厚さ以上に設定することも好ましい。
【００１６】
というのも、一般的な回胴式遊技機等では、遊技媒体としてメダルが用いられ、前扉にはメダル投入口やメダル払出口が設けられるところ、遊技者は、メダル投入口に投入する予定のメダルや、メダル払出口から払い出されたメダルを、前扉における平らな箇所に仮置きすることがある。また、遊技の結果、メダル払出口から多量のメダルが払い出された場合には、そのメダルはメダル箱に収容され、そのメダル箱は回胴式遊技機の上方に置かれるのが一般的である。この点、メダルを仮置きする場所が上記のステージ部の上向き面であった場合や、回胴式遊技機の上方に置いたメダル箱から上記のステージ部の上向き面にメダルがこぼれ落ちた場合等には、第二表示体を開閉する際に、前記装飾部材とステージ部の上向き面との隙間にメダルが挟まり、第二表示体を開閉することができなくなったり、メダルをその隙間から引き抜くことができなくなったりする虞がある。また、装飾部材やステージ部が破損等する可能性もある。この点、かかる構成のように、その隙間をメダルの厚さ以上に設定しておくことによって、上記の不具合を防止することが可能になるからである。
【００１７】
本発明の遊技機において、前記装飾部材の下端縁とステージ部の上向き面との隙間を、遊技媒体であるメダルの厚さ以上に設定する場合には、
第二表示体用下側支持部の前側近傍及び／又は後側近傍に、メダル押出部を設け、
前記装飾部材の下端縁とステージ部の上向き面との隙間における、第二表示体用下側支持部の前側又は後側にメダルが入り込んだ場合であっても、第二表示体を開く及び／又は閉じる際に、そのメダルがメダル押出部によって押し出されるようにする
ことが好ましい。
【００１８】
というのも、第二表示体用下側支持部は、ステージ部の上向き面に接触した状態となるため、前記装飾部材の下端縁とステージ部の上向き面との隙間をメダルの厚さ以上とした場合であっても、第二表示体用下側支持部とステージ部の上向き面との間にメダルが入り込む可能性を否定しきれない。この点、かかる構成のように、第二表示体用下側支持部の前側近傍や後側近傍にメダル押出部を設けることによって、第二表示体用下側支持部とステージ部の上向き面との間にもメダルが入り込まないようにすることが可能になるからである。この構成は、後述するように、第二表示体用下側支持部をローラ（第二表示体用下側支持ローラ）で構成する場合に好適に採用することができる。
【００１９】
本発明の遊技機において、上記のメダル押出部を設ける場合には、
メダル押出部によって押し出されたメダルが第二表示体と前扉との間に挟み込まれないようにするためのメダル逃し部を、前扉におけるステージ部の近傍に設ける
ことが好ましい。
【００２０】
というのも、メダル押出部の前側や後側にメダルが存在する場合において、第二表示体を開閉する際には、その開閉に伴ってメダルも押されて動くようになるが、このときのメダルがメダル押出部と前扉との間に挟み込まれるようなことがあると、第二表示体を開閉することができなくなったり、メダルを引き抜くことができなくなったりする虞がある。また、メダル押出部や前扉が破損等する可能性もある。この点、かかる構成のように、メダル逃し部を設けることによって、上記の不具合を防止することが可能になるからである。
【００２１】
本発明の遊技機において、第二表示体用下側支持部は、第二表示体に対して動かない状態に設けた凸部等で構成してもよいが、その外周面がステージ部の上向き面に摺接し、第二表示体の開閉に伴って回転する第二表示体用下側支持ローラとすることも好ましい。
【００２２】
というのも、第二表示体用下側支持部を上記の凸部等で構成した場合には、第二表示体用下側支持部とステージ部の上向き面との間に生ずる摩擦によって、第二表示体が滑らかに開閉しにくくなる虞や、第二表示体用下側支持部やステージ部が傷つく虞があるところ、これをローラ（第二表示体用下側支持ローラ）で構成することによって、第二表示体が滑らかに開閉しやすくするだけでなく、第二表示体用下側支持部やステージ部が傷つかないようにすることが可能になるからである。
【図面の簡単な説明】
【００２３】
【図１】第二表示体（可動表示ユニット）が開位置にあるときの回胴式遊技機を前方から見た状態を示した正面図である。
【図２】第二表示体（可動表示ユニット）が閉位置にあるときの回胴式遊技機を前方から見た状態を示した正面図である。
【図３】第二表示体（可動表示ユニット）が開位置にあるときの回胴式遊技機を前方斜め右上から見た状態を示した斜視図である。
【図４】前扉を開いたときの回胴式遊技機を前方斜め右上から見た状態を示した斜視図である。
【図５】図１に示された表示ユニットにおける可動表示ユニットを表示面側部材と背面側部材とに分解した状態を示した斜視図である。
【図６】図１に示された表示ユニットにおける可動表示ユニットの下部周辺を前方斜め右下から見た状態を示した斜視図である。
【図７】図１に示された表示ユニットにおける可動表示ユニットの上部周辺を前方斜め右上から見た状態を示した斜視図である。
【図８】上側軸受用ブリッジ部（又は下側軸受用ブリッジ部）を変形させた態様の可動表示ユニットにおける、第二表示体用上側支持部（又は第二表示体用下側支持部）の周辺を拡大して示した斜視図である。
【発明を実施するための形態】
【００２４】
本発明に係る構成を採用した遊技機の好適な実施態様について、図面を用いてより具体的に説明する。以下においては、説明の便宜上、回胴式遊技機を例に挙げて説明するが、本発明に係る構成は、パチンコ遊技機等の他の遊技機においても採用することができる。
【００２５】
また、後掲する各図には、図５を除き、ｘ軸、ｙ軸及びｚ軸を示している。以下においては、特に断りのない限り、ｘ軸方向正側を「右」側、ｘ軸方向負側を「左」側、ｙ軸方向正側を「後」側、ｙ軸方向負側を「前」側、ｚ軸方向正側を「上」側、ｘ軸方向負側を「下」側と呼んでいる。ただし、これら「右」側、「左」側、「後」側、「前」側、「上」側及び「下」側という語句は、各部の相対的な位置関係を表すためのものに過ぎず、各部の絶対的な位置関係を限定するものではない。
【００２６】
１．  回胴式遊技機の概要
図１は、第二表示体５２が開位置にあるときの回胴式遊技機１０を前方から見た状態を示した正面図である。図２は、第二表示体５２が閉位置にあるときの回胴式遊技機１０を前方から見た状態を示した正面図である。図３は、第二表示体５２が開位置にあるときの回胴式遊技機１０を前方斜め右上から見た状態を示した斜視図である。説明の便宜上、図３における拡大部分（同図に示した大小２つの丸囲み部のうち大きい丸囲み部で示した部分）は、後述する表示面側部材５３（図５）を取り除いた状態で示している。
【００２７】
本実施態様の回胴式遊技機１０は、図１〜３に示すように、その前扉１０ｂの前面側に、遊技媒体であるメダルを投入するためのメダル投入口１１（図１）と、メダルを払い出すためのメダル払出口１２（図１）と、その外周面に図柄が描かれた３本のリール１３，１４，１５（後掲する図４を参照。以下同じ。）を遊技者側に露出させるためのリール窓１０ｂ１（図１）と、照明演出を行うための発光ランプ１６ａ，１６ｂ，１６ｃ（図１）及び発光ランプ１６ｄ（図２）と、音声演出を行うためのスピ−カー１７ａ，１７ｂ，１７ｃ（図１）と、映像演出を行うための表示ユニット５０（図１）のほか、遊技者が操作するための操作手段を備えたものとなっている。
【００２８】
本実施態様の回胴式遊技機においては、上記の操作手段として、図１に示すように、１遊技当たりの最大枚数（通常３枚）のメダルをベットするためのマックスベットボタン１８と、ベットするメダルを１枚ずつ増加するためのシングルベットボタン１９と、リール１３，１４，１５の回転を開始するためのスタートレバー２０と、リール１３，１４，１５の回転をそれぞれ停止するための３個のストップボタン２１，２２，２３と、演出の切り替え等を行うためのチャンスボタン２４と、クレジットされたメダルを払い戻すための払戻しボタン２５と、メニューを切り替えるためのメニューボタン２６等を設けている。上記の操作手段における「ボタン」や「レバー」等の語句は、飽くまで一例として挙げているものであり、上記のものに限定されない。上記の操作手段の操作態様は適宜変更することができる。例えば、スタートレバー２０は、ボタン等とすることもできるし、チャンスボタン２４やメニューボタン２６は、レバーやハンドル等とすることもできる。
【００２９】
この回胴式遊技機１０は、メダルのクレジット枚数が所定枚数以上となった状態でスタートレバー２０が操作されると、役抽選が実行されるとともにリール１３，１４，１５が回転を開始し、ストップボタン２１，２２，２３がそれぞれ操作されると、操作されたストップボタン２１，２２，２３に対応するリール１３，１４，１５の回転が停止していき、全てのリール１３，１４，１５が停止したときにリール窓１０ｂ１の有効ライン上に表示される図柄の組み合わせが役抽選で当選した役に対応したものとなっていた場合（入賞した場合）に、その役に応じた枚数のメダルが払い出され、メダルのクレジット枚数が上限値に達しているときには、ホッパーユニット３５（図４）から送出されたメダルがメダル払出口１２を通じて払い出されるようになっている。メダルのクレジット枚数は、メダルのクレジット枚数が上限値に達していないときに、メダル投入口１１にメダルが投入される、又は、入賞によってメダルが払い出されると増加するようになっている。
【００３０】
図４は、前扉１０ｂを開いたときの回胴式遊技機１０を前方斜め右上から見た状態を示した斜視図である。図４においては、回胴式遊技機１０における基本的な部材のみを単純な形状に置き換えて示している。
【００３１】
回胴式遊技機１０は、図４に示すように、前方が開放された箱状を為す筺体本体１０ａと、筺体本体１０ａの前面側に開閉可能な状態で取り付けられた前扉１０ｂとで構成された遊技機筺体の内部に各種の機器が収容されたものとなっている。以下においては、筺体本体１０ａと前扉１０ｂとを合わせて「筺体１０ａ，１０ｂ」と表記することがある。本実施態様において、筺体１０ａ，１０ｂには、上記の表示ユニット５０のほか、メイン制御基板ユニット３０、サブ制御基板ユニット３１、電源ユニット３２、コネクタユニット３３、リールユニット３４及びホッパーユニット３５等が取り付けられている。これらのユニット３０〜３５，５０のうち、表示ユニット５０とコネクタユニット３３は、前扉１０ｂに取り付けられている。一方、メイン制御基板ユニット３０とサブ制御基板ユニット３１と電源ユニット３２とリールユニット３４とホッパーユニット３５は、筺体本体１０ａの内面側に取り付けられている。上記のリール窓１０ｂ１は、前扉１０ｂの中段部やや上寄りの部分に略矩形状に設けられている。
【００３２】
表示ユニット５０は、第一表示体５１（図１）及び第二表示体５２（図１）による映像演出に関する制御を行う制御基板（映像基板）を備えている。メイン制御基板ユニット３０は、役抽選や入賞判定等、遊技における基本的な制御を行う制御基板（メイン制御基板）を備えている。サブ制御基板ユニット３１は、発光ランプや音声による演出等、遊技における演出に関する制御を行う制御基板（サブ制御基板）を備えている。電源ユニット３２は、回胴式遊技機１０における各機器に電力を供給する制御基板（電源基板）を備えている。コネクタユニット３３は、特定の機器に接続されたケーブルを仲介する制御基板（仲介基板）を備えている。リールユニット３４は、リール１３，１４，１５の回転をそれぞれ独立して制御する制御基板（リール制御基板）を備えている。ホッパーユニット３５は、メダル投入口１１（図１）に投入されたメダルを回収するとともに、メイン制御基板ユニット３０からの信号に基づいてメダル払出口１２（図１）へメダルを送出する制御を行う制御基板（ホッパー制御基板）を備えている。これらの制御基板はいずれも、不正アクセスの対象となるため、通常、透明樹脂で形成されたケース内に収容されて封止された状態とされる。
【００３３】
本実施態様の回胴式遊技機１０は、上記の各ユニット３０〜３５，５０のうち、表示ユニット５０に特徴を有するものとなっている。以下、表示ユニット５０について詳しく説明する。
【００３４】
２．表示ユニット
２．１  表示ユニットの基本的な構造及び動作
表示ユニット５０は、図１に示すように、前扉１０ｂに対して動かない状態で取り付けられた固定表示ユニット５０ａと、固定表示ユニット５０ａに対して開閉動作（図３における矢印Ａ１を参照）が可能な状態で取り付けられた可動表示ユニット５０ｂとを備えたものとなっている。固定表示ユニット５０ａには、第一表示面α１を前面側に有する第一表示体５１が設けられており、可動表示ユニット５０ｂには、第二表示面α２を前面側に有する第二表示体５２が設けられている。
【００３５】
第一表示体５１や第二表示体５２は、動画や静止画等の画像や文字等を表示できるパネル状の表示装置（パネル型表示装置）であれば、その種類を限定されない。第一表示体５１や第二表示体５２としては、液晶表示装置やプラズマ表示装置や有機ＥＬ表示装置等のほか、多数の光源（発光ダイオード）を配列したＬＥＤ表示装置を例示することができる。本実施態様の回胴式遊技機１０において、第一表示体５１及び第二表示体５２はいずれも、液晶表示装置としている。
【００３６】
第二表示体５２（可動表示ユニット５０ｂ）は、図１に示すように、その第二表示面α２が第一表示体５１の第一表示面α１の側方に並んで、第一表示面α１及び第二表示面α２の双方が遊技者から視認可能な状態になる開位置と、図２に示すように、その第二表示面α２が後向きになって第一表示面α１の前面側に重なり、第一表示面α１の少なくとも一部（図２の例では略全体）が遊技者から視認できない状態になる閉位置との間で開閉可能な状態に設けられている。本実施態様の表示ユニット５０において、可動表示ユニット５０ｂは、その基端部（固定表示ユニット５０ａ側の端部。以下同じ。）付近における上下方向の開閉軸Ｌ１を中心として開閉するようになっている。
【００３７】
第二表示体５２（可動表示ユニット５０ｂ）は、第一表示体５１（固定表示ユニット５０ａ）の左側及び右側のうち片側のみに設けてもよいが、本実施態様の表示ユニット５０においては、可動表示ユニット５０ｂを、固定表示ユニット５０ａの左右両側に設けている。すなわち、可動表示ユニット５０ｂは、固定表示ユニット５０ａを挟んで左右一対に設けられており、固定表示ユニット５０ａに対して観音開き状態とすることができるようになっている。
【００３８】
このように、表示ユニット５０を、第一表示体５１を備えた固定表示ユニット５０ａと、第二表示体５２を備えた可動表示ユニット５０ｂとで構成し、固定表示ユニット５０ａに対して可動表示ユニット５０ｂを開閉できる構造とすることで、遊技者が、より多様な状況で遊技を楽しむことができるようになるだけでなく、これまでにない斬新な演出を行うことも可能となっている。可動表示ユニット５０ｂの開閉は、手動で行うようにしてもよいし、自動で行うようにしてもよい。
【００３９】
第二表示体５２（可動表示ユニット５０ｂ）の開閉を手動で行うようにすると、遊技者は、好みや気分、或いは回胴式遊技機１０からの指示（第一表示面α１や第二表示面α２を通じて表示される文字による指示や、スピーカー１７ａ，１７ｂ，１７ｃを通じて出力される音声による指示等。以下同じ。）等に応じて、表示ユニット５０の状態を変化させることができる。例えば、第一表示面α１及び第二表示面α２による演出が煩わしく第一表示面α１及び第二表示面α２を隠した状態で遊技を行いたいと思った遊技者や、回胴式遊技機１０から「扉を閉じろ！」等の指示を受けた遊技者は、可動表示ユニット５０ｂを閉位置に移動させて可動表示ユニット５０ｂで第一表示面α１を覆った状態とすることにより、第一表示面α１及び第二表示面α２の双方を隠した状態で遊技を行うことが可能になる。第一表示面α１及び第二表示面α２の双方が隠された状態であっても、遊技状態の変化（例えば、いわゆるリプレイタイム（ＲＴ）やアシストタイム（ＡＴ）やアシストリプレイタイム（ＡＲＴ）等の有利な状態が発現したこと等）を、発光ランプ１６ｄ（図２）やスピーカー１７ｂ，１７ｃ（図２）で遊技者に報知するようにすると好ましい。
【００４０】
ところで、可動表示ユニット５０ｂを開閉することにより得られる状況の変化は、第一表示面α１（第一表示体５１）や第二表示面α２（第二表示体５２）に限定されない。例えば、発光ランプ１６ａ，１６ｂ，１６ｃ，１６ｄやスピーカー１７ａ，１７ｂ，１７ｃ等、第一表示体５１や第二表示体５２以外の出力手段における変化も楽しむことができるようになる。
【００４１】
この点、本実施態様の回胴式遊技機１０においては、上述したように、前扉１０ｂの前面側に発光ランプ１６ａ，１６ｂ，１６ｃ，１６ｄを設けているところ、このうち、発光ランプ１６ａ，１６ｂ，１６ｃは、図１に示すように、可動表示ユニット５０ｂが開位置にあるときには遊技者から見える状態になるものの、図２に示すように、可動表示ユニット５０ｂが閉位置にあるときには遊技者から見えない状態となる位置に配置している。これに対し、発光ランプ１６ｄは、図２に示すように、可動表示ユニット５０ｂが閉位置にあるときには遊技者から見える状態になるものの、図１に示すように、可動表示ユニット５０ｂが開位置にあるときには遊技者から見えない状態となる位置に配置している。
【００４２】
具体的には、発光ランプ１６ａを、固定表示ユニット５０ａにおける第一表示面α１よりも上側で可動表示ユニット５０ｂの上縁よりも下側となる部分に配置し、発光ランプ１６ｂを、固定表示ユニット５０ａにおける第一表示面α１よりも下側で可動表示ユニット５０ｂの下縁よりも上側となる部分に配置し、発光ランプ１６ｃを、可動表示ユニット５０ｂにおける第二表示面α２よりも外側で、左右一対の可動表示ユニット５０ｂを閉位置としたときに互いに突き当たる面（可動表示ユニット５０ｂの外端面）に配置している。
【００４３】
このため、遊技者は、好みや気分、或いは回胴式遊技機１０からの指示等に応じて、視認できる発光ランプ１６ａ，１６ｂ，１６ｃ，１６ｄを選択することができるようになっている。加えて、本実施態様の回胴式遊技機１０において、可動表示ユニット５０ｂは、開位置にあるときに前扉１０ｂから大きく前方に突き出た状態となるところ、可動表示ユニット５０ｂの外端面に配置した発光ランプ１６ｃを発光させることで、回胴式遊技機１０を暗いホールに設置した場合であっても、通行人等に可動表示ユニット５０ｂの外端面を認識させ、通行人等が可動表示ユニット５０ｂにぶつからないようにすることも可能になる。そして、可動表示ユニット５０ｂが開位置と閉位置とのいずれの位置にあっても発光ランプ１６ａ，１６ｂ，１６ｃ，１６ｄのうちいずれかが前方から見えるようにするとともに、メダル詰まり等のエラー報知をこれらの発光ランプ１６ａ，１６ｂ，１６ｃ，１６ｄで行うようにすることで、可動表示ユニット５０ｂが開位置と閉位置とのいずれの位置にあっても、回胴式遊技機１０の前側の人がそのエラー報知を認識することができるようになる。
【００４４】
また、本実施態様の回胴式遊技機１０においては、上述したように、前扉１０ｂの前面側にスピーカー１７ａ，１７ｂ，１７ｃを設けているところ、このうち、スピーカー１７ｂ，１７ｃは、図１及び図２に示すように、可動表示ユニット５０ｂが開位置にあるか閉位置にあるかに関わらず、遊技者側に露出した状態となる位置に配置している。一方、スピーカー１７ａは、図１に示すように、可動表示ユニット５０ｂが開位置にあるときには遊技者側に露出した状態になるものの、図２に示すように、可動表示ユニット５０ｂが閉位置にあるときには可動表示ユニット５０ｂに覆われた状態となる位置に配置している。
【００４５】
具体的には、スピーカー１７ｂを、前扉１０ｂの下段部に配置し、スピーカー１７ｃを、前扉１０ｂの中段部（リール窓１０ｂ１の両脇）に配置する一方、スピーカー１７ａを、固定表示ユニット５０ａにおける第一表示面α１よりも上側で可動表示ユニット５０ｂの上縁よりも下側となる部分に配置している。このため、遊技者は、好みや気分、或いは回胴式遊技機１０からの指示等に応じて、スピーカー１７ａから聞こえる音声の状態を変化させることができるようになっている。例えば、第二表示体５２（可動表示ユニット５０ｂ）によってスピーカー１７ａの前面側を覆うと、スピーカー１７ａから聞こえる音声が小さくなるとともに籠った状態となり、スピーカー１７ａの前面側から可動表示ユニット５０ｂを移動させると、スピーカー１７ａから聞こえる音声が大きくなるとともにクリアな状態となる。可動表示ユニット５０ｂを、開位置と閉位置との間にある中途半端な位置で止めると、より微妙な変化を楽しむことも可能である。本実施態様の回胴式遊技機１０では採用していないが、可動表示ユニット５０ｂが開位置にあるときには可動表示ユニット５０ｂに覆われた状態となるものの、可動表示ユニット５０ｂが閉位置にあるときには遊技者側に露出した状態になる位置（例えば、発光ランプ１６ｄが設けられた位置等）にもスピーカーを設けることもできる。
【００４６】
これに対し、第二表示体５２（可動表示ユニット５０ｂ）の開閉を自動で行うようにすると、遊技状態等に応じて表示ユニット５０の状態を変化させ、より多様な演出を行うことが可能になる。例えば、回胴式遊技機のなかには、ボーナス（レギュラーボーナス又はビッグボーナス）への当選やその期待度等を報知するために、スタートレバー２０を操作したにもかかわらずリール１３，１４，１５を回転させなかったり、リール１３，１４，１５を逆回転させたりする等、リール１３，１４，１５等に通常遊技とは異なった挙動を行わせる演出を行う機種もある。このような演出は、「フリーズ演出」等と呼ばれるが、このフリーズ演出を実行する際に、可動表示ユニット５０ｂを閉位置に移動させること等が可能になる。可動表示ユニット５０ｂの開閉を自動で行う場合においても、可動表示ユニット５０ｂを、開位置と閉位置との間にある中途半端な位置で止めるようにすることも可能である。これにより、さらに多様な演出を行うことが可能になる。
【００４７】
以上のように、表示ユニット５０は、第一表示体５１を備えた固定表示ユニット５０ａと、第二表示体５２を備えた可動表示ユニット５０ｂとで構成され、固定表示ユニット５０ａに対して可動表示ユニット５０ｂを開閉できる構造となっている。このため、第二表示体５２（可動表示ユニット５０ｂ）の荷重がその開閉軸Ｌ１（図１〜３）の周辺部に局所的にかかってしまうと、表示ユニット５０における開閉軸Ｌ１の周辺部が破損する虞や、破損しないまでも当該周辺部に歪みが生じて開閉軸Ｌ１が傾き、可動表示ユニット５０ｂが他の部材に干渉して所望の開閉動作を行うことができなくなる虞がある。また、可動表示ユニット５０ｂの開閉が不可能にならないまでも、可動表示ユニット５０ｂは、遊技者に注視される部分であるため、開閉軸Ｌ１が僅かでも傾いてしまうと、遊技者がそのことにくづきやすく、回胴式遊技機１０の外観品質が低下する。この点、本実施態様の表示ユニット５０は、以下の荷重分散構成を採用することにより、可動表示ユニット５０ｂの荷重が開閉軸Ｌ１の周辺部に局所的にかかりにくくしている。
【００４８】
２．２  可動表示ユニットの荷重分散構造
すなわち、図１〜３に示すように、前扉１０ｂにおける第二表示体５２（可動表示ユニット５０ｂ）の下側に位置する部分に、上向き面β２を有するステージ部１０ｂ２を設けるとともに、第二表示体５２（可動表示ユニット５０ｂ）の下端面における、開閉軸Ｌ１よりも開閉端側（可動表示ユニット５０ｂの外端面側）に位置する部分に、第二表示体用下側支持部５２ａを設けている。図１〜３においては、図示の便宜上、左右一対の可動表示ユニット５０ｂのうち、左側の可動表示ユニット５０ｂを支持する第二表示体用下側支持部５２ａ及びステージ部１０ｂ２のみに符号を付しているが、右側の可動表示ユニット５０ｂも左側の可動表示ユニット５０ｂと同様（左右対称）の構造で下側支持されている。
【００４９】
第二表示体用下側支持部５２ａは、図３の矢印Ａ２に示すように、可動表示ユニット５０ｂが開位置から閉位置まで移動する間（閉動作する間）、又は、可動表示ユニット５０ｂが閉位置から開位置まで移動する間（開動作する間）、ステージ部１０ｂ２の上向き面β２に当接し続けることにより、可動表示ユニット５０ｂを支持するものとなっている。このため、開閉する可動表示ユニット５０ｂの荷重を第二表示体用下側支持部５２ａに分散させ、可動表示ユニット５０ｂの荷重が開閉軸Ｌ１の周辺部に局所的にかからないようにすることが可能となっている。本実施態様の回胴式遊技機１０において、ステージ部１０ｂ２の上向き面β２は、その全体を平坦に形成しているが、上向き面β２における、第二表示体５２（可動表示ユニット５０ｂ）が開位置又は閉位置にあるときに第二表示体用下側支持部５２ａが位置する部分には、凹部や凸部を設けることもできる。これにより、可動表示ユニット５０ｂを開位置又は閉位置で位置決めすることが可能になる。
【００５０】
第二表示体用下側支持部５２ａは、その下端部がステージ部１０ｂ２の上向き面β２に当接できるものであれば、その形態を特に限定されない。しかし、第二表示体用下側支持部５２ａの下端部が先鋭であると、ステージ部１０ｂ２の上向き面β２が第二表示体用下側支持部５２ａによって傷つく虞がある。このため、第二表示体用下側支持部５２ａは、その下端部が非先鋭状（滑らかな湾曲凸面状等）に形成されたものを用いると好ましい。この点、本実施態様の回胴式遊技機１０では、図３に示すように、第二表示体用下側支持部５２ａを、その外周面がステージ部１０ｂ２の上向き面β２に摺接し、可動表示ユニット５０ｂの開閉に伴って回転するローラ（第二表示体用下側支持ローラ）としている。これにより、ステージ部１０ｂ２の上向き面β２を傷つきにくくするだけでなく、可動表示ユニット５０ｂを滑らかに開閉しやすくすることが可能となっている。
【００５１】
また、本実施態様の回胴式遊技機１０においては、図１及び図２に示すように、前扉１０ｂにおける第二表示体５２（可動表示ユニット５０ｂ）の上側に位置する部分に、下向き面β３を有する逆ステージ部１０ｂ３を設けるとともに、可動表示ユニット５０ｂの上端面における、開閉軸Ｌ１よりも開閉端側に位置する部分に、可動表示ユニット５０ｂが開閉する際に逆ステージ部１０ｂ３の下向き面に当接し続けることにより、可動表示ユニット５０ｂを上側から支持するための第二表示体用上側支持部５２ｂを設けている。図１及び図２においては、図示の便宜上、左右一対の可動表示ユニット５０ｂのうち、左側の可動表示ユニット５０ｂを支持する第二表示体用上側支持部５２ｂ及び逆ステージ部１０ｂ３のみに符号を付しているが、右側の可動表示ユニット５０ｂも左側の可動表示ユニット５０ｂと同様（左右対称）の構造で上側支持されている。これにより、可動表示ユニット５０ｂを下側からだけでなく、上側からも支持し、可動表示ユニット５０ｂのガタツキを抑えることが可能となっている。
【００５２】
第二表示体用上側支持部５２ｂは、その上端部が逆ステージ部１０ｂ３の下向き面β３に当接できるものであれば、その形態を特に限定されない。しかし、第二表示体用上側支持部５２ｂの上端部が先鋭であると、逆ステージ部１０ｂ３の下向き面β３が第二表示体用上側支持部５２ｂによって傷つく虞がある。このため、第二表示体用上側支持部５２ｂは、その下端部が非先鋭状（滑らかな湾曲凸面状等）に形成されたものを用いると好ましい。この点、本実施態様の回胴式遊技機１０では、第二表示体用下側支持部５２ａと同様の理由で、第二表示体用上側支持部５２ｂも、その外周面が逆ステージ部１０ｂ３の下向き面β３に摺接し、可動表示ユニット５０ｂの開閉に伴って回転するローラ（第二表示体用上側支持ローラ）としている。
【００５３】
本実施態様の回胴式遊技機１０において、上記の第二表示体用下側支持ローラ５２ａ（第二表示体用下側支持部５２ａ）及び第二表示体用上側支持ローラ５２ｂ（第二表示体用上側支持部５２ｂ）は、１つの第二表示体５２（可動表示ユニット５０ｂ）につき１つずつ設けているが、これに限定されない。第二表示体用下側支持部５２ａや第二表示体用上側支持部５２ｂは、１つの可動表示ユニット５０ｂにつき複数個ずつ設けることも可能である。
【００５４】
ここで、上記のように、第二表示体５２（可動表示ユニット５０ｂ）を下側及び上側の両側から支持するようにした場合には、可動表示ユニット５０ｂは、ステージ部１０ｂ２の上向き面β２と逆ステージ部１０ｂ３の下向き面β３とに挟まれた状態となる。このため、ステージ部１０ｂ２の上向き面β２と逆ステージ部１０ｂ３の下向き面β３との間隔（以下において「ステージ部間隔」と呼ぶことがある。）が、第二表示体用下側支持部５２ａの下端部と第二表示体用上側支持部５２ｂの上端部との間隔（以下において「支持部間隔」と呼ぶことがある。）よりも広いと、第二表示体用下側支持部５２ａがステージ部１０ｂ２の上向き面β２から上側に浮いた状態となる虞や、第二表示体用上側支持部５２ｂが逆ステージ部１０ｂ３の下向き面β３から下側に離れた状態となる虞がある。この場合には、上記のような下側支持や上側支持が適切に行えなくなってしまう。また逆に、ステージ部間隔が、支持部間隔よりも狭いと、ステージ部１０ｂ２の上向き面β２と逆ステージ部１０ｂ３の下向き面β３との間に可動表示ユニット５０ｂが入らなくなる虞もある。
【００５５】
この点、本実施態様の回胴式遊技機１０では、第二表示体用下側支持部５２ａにおけるステージ部１０ｂ２の上向き面β２に接触する部分（第二表示体用下側支持ローラ５２ａの外周部）と、第二表示体用上側支持部５２ｂにおける逆ステージ部１０ｂ３の下向き面β３に接触する部分（第二表示体用上側支持ローラ５２ｂの外周部）とを、ゴムや弾性樹脂等の弾性素材で形成している。これにより、ステージ部１０ｂ２の上向き面β２や逆ステージ部１０ｂ３の下向き面β３が第二表示体用下側支持部５２ａや第二表示体用上側支持部５２ｂでより傷つきにくくするだけでなく、支持部間隔がステージ部間隔よりも僅かに大きくなっていても、第二表示体用下側支持ローラ５２ａの外周部や第二表示体用上側支持ローラ５２ｂの外周部が圧縮変形することで、ステージ部１０ｂ２の上向き面β２と逆ステージ部１０ｂ３の下向き面β３との間に可動表示ユニット５０ｂを入れることが可能となっている。すなわち、支持部間隔とステージ部間隔とを高い精度で一致させておかなくても、上記の下側支持や上側支持を適切に行うことが可能となっている。
【００５６】
加えて、本実施態様の回胴式遊技機１０では、図５に示すように、可動表示ユニット５０ｂを、第一表示面α１が設けられる表示面側部材５３と、表示面側部材５３の背面側に組み付けられる背面側部材５４とに分解可能な構造としている。ここで、図５は、図１に示された表示ユニット５０における可動表示ユニット５０ｂを表示面側部材５３と背面側部材５４とに分解した状態を示した斜視図である。
【００５７】
この点、本実施態様の回胴式遊技機１０では、図５に示すように、背面側部材５４の下端面を形成する、金属で形成された下側フレーム５４ａを下向き切り起こした下側ローラ用軸受部５４ａ１に第二表示体用下側支持ローラ５２ａを軸支し、背面側部材５４の上端面を形成する、金属で形成された上側フレーム５４ｂを上向きに切り起こした上側ローラ用軸受部５４ｂ１に第二表示体用上側支持ローラ５２ｂを軸支するようにしている。このため、第二表示体用下側支持ローラ５２ａを軸支する下側ローラ用軸受部５４ａ１と、第二表示体用上側支持ローラ５２ｂを軸支する上側ローラ用軸受部５４ｂ１は、ある程度は弾性変形することが可能な構造となっている。したがって、上記の支持部間隔が上記のステージ部間隔よりも僅かに大きくなっている場合であっても、下側ローラ用軸受部５４ａ１や上側ローラ用軸受部５４ｂ１が弾性的に撓むことにより、ステージ部１０ｂ２の上向き面β２と逆ステージ部１０ｂ３の下向き面β３との間に可動表示ユニット５０ｂを入れることが可能となっている。本実施態様の回胴式遊技機１０では、下側ローラ用軸受部５４ａ１及び上側ローラ用軸受部５４ｂ１を背面側部材５４に設けたが、表示面側部材５３に設けることも勿論可能である。
【００５８】
ところで、上記のように、上側フレーム５４ｂを切り起こして一対の上側ローラ用軸受部５４ｂ１を形成した場合には、この一対の上側ローラ用軸受部５４ｂ１は、上側フレーム５４ｂに形成された開口部に架け渡されたブリッジ状の部分（図５における上側軸受用ブリッジ部５４ｂ２）の両側縁に設けられた状態となる。同様に、下側フレーム５４ａを切り起こして一対の下側ローラ用軸受部５４ａ１を形成した場合には、この一対の下側ローラ用軸受部５４ａ１は、下側フレーム５４ａに形成された開口部に架け渡されたブリッジ状の部分（図５における下側軸受用ブリッジ部５４ａ２）の両側縁に設けられた状態となる。したがって、上記の支持部間隔が上記のステージ部間隔よりも僅かに大きくなっている場合には、下側ローラ用軸受部５４ａ１や上側ローラ用軸受部５４ｂ１だけでなく、上側軸受用ブリッジ部５４ｂ２や下側軸受用ブリッジ部５４ａ２も弾性的に変形させることが可能になる。したがって、ステージ部１０ｂ２の上向き面β２と逆ステージ部１０ｂ３の下向き面β３との間に可動表示ユニット５０ｂをより入れやすくすることが可能になる。
【００５９】
ただし、上記の支持部間隔が上記のステージ部間隔よりもある程度大きいと、上記の下側ローラ用軸受部５４ａ１や上側ローラ用軸受部５４ｂ１や上側軸受用ブリッジ部５４ｂ２や下側軸受用ブリッジ部５４ａ２の弾性的な変形だけでは、ステージ部１０ｂ２の上向き面β２と逆ステージ部１０ｂ３の下向き面β３との間に可動表示ユニット５０ｂを入れることができない場合も想定される。このような場合には、図８に示すように、上側軸受用ブリッジ部５４ｂ２を下側（第二表示体用上側支持ローラ５２ｂが突き出る側とは反対側）に凹んだ状態となるように塑性変形（例えばプレスにより変形）させることで、ステージ部１０ｂ２の上向き面β２と逆ステージ部１０ｂ３の下向き面β３との間に可動表示ユニット５０ｂを入れることが可能になる。同様に、下側軸受用ブリッジ部５４ａ２を上側（第二表示体用下側支持ローラ５２ａが突き出る側とは反対側）に凹んだ状態となるように塑性変形（例えばプレスにより変形）させることも可能である。図８は、上側軸受用ブリッジ部５４ｂ２（又は下側軸受用ブリッジ部５４ａ２）を変形させた態様の可動表示ユニットにおける、第二表示体用上側支持ローラ５２ｂ（又は第二表示体用下側支持ローラ５２ａ）の周辺を拡大して示した斜視図である。
【００６０】
逆に、上記の支持部間隔が上記のステージ部間隔よりも小さい場合には、図８とは逆に、上側軸受用ブリッジ部５４ｂ２を上側（第二表示体用上側支持ローラ５２ｂが突き出る側）に凸な状態となるように塑性変形（例えばプレスにより変形）させることや、下側軸受用ブリッジ部５４ａ２を下側（第二表示体用下側支持ローラ５２ａが突き出る側）に凸な状態となるように塑性変形（例えばプレスにより変形）させることで、対応することが可能である。
【００６１】
第二表示体用下側支持ローラ５２ａ（第二表示体用下側支持部５２ａ）を、第二表示体５２（可動表示ユニット５０ｂ）の幅方向におけるどの場所に設けるかは、開閉軸Ｌ１よりも可動表示ユニット５０ｂの外端側であれば、特に限定されない。しかし、第二表示体用下側支持部５２ａを開閉軸Ｌ１の近くにしすぎると、上記の第二表示体５２（可動表示ユニット５０ｂ）の外端部に下向きの荷重が加わった場合に、第二表示体用下側支持部５２ａを支点としたテコの作用が開閉軸Ｌ１周辺に加わりやすくなる虞がある。このため、第二表示体用下側支持部５２ａは、開閉軸Ｌ１からある程度離れた箇所に配することが好ましい。開閉軸Ｌ１から可動表示ユニット５０ｂの外端までの距離Ｄ１（図５）に対する、開閉軸Ｌ１から第二表示体用下側支持部５２ａまでの距離Ｄ２（図５）の比Ｄ２／Ｄ１は、０．０５以上とすることが好ましく、０．０８以上とすることがより好ましく、０．１以上とすることがさらに好ましい。
【００６２】
これに対し、第二表示体用下側支持部５２ａを開閉軸Ｌ１の遠く（可動表示ユニット５０ｂの外端の近く）にしすぎると、その分、ステージ部１０ｂ２を前扉１０ｂ（図１）から前方に大きく突出させる必要が生じ、前扉１０ｂのデザインの自由度が低下するだけでなく、ステージ部１０ｂ２が目立ちすぎて回胴式遊技機１０の外観品質が低下する虞もある。このため、第二表示体用下側支持部５２ａは、可動表示ユニット５０ｂの外端から開閉軸Ｌ１側にある程度入りこんだ箇所に設けることが好ましい。開閉軸Ｌ１から可動表示ユニット５０ｂの外端までの距離Ｄ１（図５）に対する、開閉軸Ｌ１から第二表示体用下側支持部５２ａまでの距離Ｄ２（図５）の比Ｄ２／Ｄ１は、０．５以下とすることが好ましく、０．４以下とすることがより好ましく、０．３以下とすることがさらに好ましい。
【００６３】
第二表示体用上側支持ローラ５２ｂ（第二表示体用上側支持部５２ｂ）を、第二表示体５２（可動表示ユニット５０ｂ）の幅方向におけるどの場所に設けるかは、第二表示体用下側支持部５２ａを設ける場所等によっても異なり、特に限定されないが、第二表示体５２（可動表示ユニット５０ｂ）の支持バランスを考慮して、第二表示体用下側支持部５２ａの真上に配置することが好ましい。本実施態様の回胴式遊技機１０においても、第二表示体用下側支持部５２ａの真上に第二表示体用上側支持部５２ｂを設けている。
【００６４】
また、第二表示体用下側支持ローラ５２ａ（第二表示体用下側支持部５２ａ）や第二表示体用上側支持ローラ５２ｂ（第二表示体用上側支持部５２ｂ）を、第二表示体５２（可動表示ユニット５０ｂ）の厚さ方向のどの場所に設けるかも特に限定されない。しかし、第二表示体用下側支持部５２ａや第二表示体用上側支持部５２ｂを、可動表示ユニット５０ｂの表示面側近傍に設けると、可動表示ユニット５０ｂを開位置に移動させたときに、遊技者から第二表示体用下側支持部５２ａや第二表示体用上側支持部５２ｂが見えやすくなり、回胴式遊技機１０の外観品質が低下する虞がある。一方、第二表示体用下側支持部５２ａや第二表示体用上側支持部５２ｂを、可動表示ユニット５０ｂの背面側近傍に設けると、可動表示ユニット５０ｂを閉位置に移動させたときに、遊技者から第二表示体用下側支持部５２ａや第二表示体用上側支持部５２ｂが見えやすくなり、やはり、回胴式遊技機１０の外観品質が低下する虞がある。
【００６５】
このため、本実施態様の回胴式遊技機１０においては、図６及び図７に示すように、第二表示体用下側支持部５２ａ（図６）及び第二表示体用上側支持部５２ｂ（図７）を、可動表示ユニット５０ｂの厚さ方向略中間部に配している。ここで、図６は、図１に示された表示ユニット５０における可動表示ユニット５０ｂの下部周辺を前方斜め右下から見た状態を示した斜視図であり、図７は、図１に示された表示ユニット５０における可動表示ユニット５０ｂの上部周辺を前方斜め右上から見た状態を示した斜視図である。これにより、第二表示体５２（可動表示ユニット５０ｂ）が開位置（図１）にあるときと閉位置（図２）にあるときとのいずれにおいても、遊技者から第二表示体用下側支持部５２ａ及び第二表示体用上側支持部５２ｂを見えにくくすることが可能になり、回胴式遊技機１０の外観品質を高めることが可能になる。
【００６６】
このように、回胴式遊技機１０の外観品質を高めるためには、第二表示体用下側支持部５２ａや第二表示体用上側支持部５２ｂを目立ちにくくすることが好ましいが、これに関し、本実施態様の回胴式遊技機１０では、次のような工夫も施している。すなわち、図６に示すように、第二表示体用下側支持部５２ａの前面側（表示面側）に、表示面側装飾部材５３ｃを配するとともに、第二表示体用下側支持部５２ａの後面側（背面側）に、背面側装飾部材５４ｃを配している。同様に、図７に示すように、第二表示体用上側支持部５２ｂの前面側（表示面側）にも、表示面側装飾部材５３ｃを配するとともに、第二表示体用下側支持部５２ａの後面側（背面側）にも、背面側装飾部材５４ｃを配している。このため、第二表示体用下側支持部５２ａや第二表示体用上側支持部５２ｂの大部分が表示面側装飾部材５３ｃ及び背面側装飾部材５４ｃで覆われて隠れるようになっており、遊技者から第二表示体用下側支持部５２ａや第二表示体用上側支持部５２ｂが見えにくくなっている。
【００６７】
表示面側装飾部材５３ｃや背面側装飾部材５４ｃは、回胴式遊技機１０における、遊技者から見える部分の外表面を形成するものとして適切な外観を有するものであれば特に限定されず、意匠等が特に施されたものでなくてもよい。本実施態様の回胴式遊技機１０において、表示面側装飾部材５３ｃ及び背面側装飾部材５４ｃは、可動表示ユニット５０ｂにおける、第二表示体５２における第二表示面α２以外の略全体を覆うカバー部材となっている。
【００６８】
このとき、上記の表示面側装飾部材５３ｃや背面側装飾部材５４ｃを下側に延在させることにより、第二表示体５２（可動表示ユニット５０ｂ）の下端面とステージ部１０ｂ２の上向き面β２との隙間γ（図１）が狭くなるようにすれば、第二表示体用下側支持部５２ａや第二表示体用上側支持部５２ｂがさらに見えにくくなる。しかし、既に述べたように、ステージ部１０ｂ２の上向き面β２には、メダル投入口１１（図１）に投入する予定のメダルや、メダル払出口１２から払い出されたメダルが仮置きされたり、回胴式遊技機１０の上部に置かれたメダル箱からメダルがこぼれ落ちたりすることがあるところ、隙間γを狭くしておくと、メダルが隙間γに挟み込まれて、可動表示ユニット５０ｂを開閉することができなくなったり、可動表示ユニット５０ｂやステージ部１０ｂ２が破損等したりする可能性がある。
【００６９】
このため、隙間γは、メダルの厚さ以上に設定すると好ましい。隙間γの具体的な値は、特に限定されないが、遊技媒体として一般的に用いられるメダルの厚さは、１．６ｍｍであることが多い。このため、隙間γは、１．６ｍｍ（メダルの厚さの１倍）以上とすることが好ましく、１．８ｍｍ（メダルの厚さの約１．１倍）以上とすることがより好ましく、２ｍｍ（メダルの厚さの１．２〜１．３倍）以上とすることがさらに好ましい。一方、隙間γの上限は、特に限定されない。しかし、隙間γが広すぎると、回胴式遊技機１０の外観品質が低下する虞がある。このため、隙間γは、３ｍｍ（メダルの厚さの約２倍）以下に抑えることが好ましく、２．５ｍｍ（メダルの厚さの約１．５倍）以下に抑えることがより好ましい。
【００７０】
ところが、上記のように、隙間γをメダルの厚さ以上に設定した場合であっても、第二表示体用下側支持ローラ（第二表示体用下側支持部５２ａ）とステージ部１０ｂ２の上向き面β２との間にメダルが入り込む可能性を否定しきれない。このため、第二表示体用下側支持部５２ａの前側近傍や後側近傍には、図６の拡大部分に破線で示すような邪魔板（メダル押出部５５）を設けると好ましい。これにより、隙間γにおける、第二表示体用下側支持部５２ａの前側又は後側にメダルが入り込んだ場合であっても、可動表示ユニット５０ｂを開閉する際に、そのメダルがメダル押出部５５によって押し出されるようにすることが可能になる。
【００７１】
ただし、上記のように、メダル押出部５５を設ける場合には、メダル押出部５５の前側や後側にメダルが存在するときに可動表示ユニット５０ｂを開閉すると、その開閉に伴ってメダルも押されて動くようになるが、このときのメダルがメダル押出部５５と前扉１０ｂ等との間に挟み込まれるようなことがあると、可動表示ユニット５０ｂを開閉することができなくなったり、メダル押出部５５や前扉１０ｂが破損等したりする可能性がある。このため、メダル押出部５５によって押し出されたメダルが可動表示ユニット５０ｂと前扉１０ｂ等との間に挟み込まれないようにするための凹部等（メダル逃し部）を、前扉１０ｂや表示ユニット５０等におけるステージ部１０ｂ２の近傍（例えば、図１における網掛けハッチング部δ１で示した箇所や、図２における網掛けハッチング部δ２で示した箇所）に設けると好ましい。これにより、上記の不具合を防止することが可能になる。
【００７２】
以上のように、本実施態様の回胴式遊技機１０では、上記の荷重分散構造を採用したため、第一表示体５１に対して第二表示体５２を開閉可能な構造としたにもかかわらず、第二表示体５２（可動表示ユニット５０ｂ）の荷重がその開閉軸Ｌ１の周辺部に局所的にかかりにくくなっており、表示ユニット５０の開閉軸Ｌ１の周辺部の破損や歪みを防止することが可能となっている。したがって、第二表示体５２に所望の開閉動作を行わせ続けることができるとともに、回胴式遊技機１０の外観品質を高めることもできるようになっている。
【００７３】
２．３  その他の工夫
本実施態様の回胴式遊技機１０では、上記の荷重分散構造に加えて、以下の工夫も施している。
【００７４】
２．３．１  第二表示面の形状の工夫
左右の可動表示ユニット５０ｂにおける第二表示面α２は、矩形状等に形成してもよいが、本実施態様の回胴式遊技機１０では、図１に示すように、いずれもパース枠状に形成している。すなわち、可動表示ユニット５０ｂが開位置にある場合において、左右それぞれの第二表示面α２の下縁を、可動表示ユニット５０ｂの開閉端（外端）側から開閉軸Ｌ１に近づくにつれて高くなるように傾斜させるとともに、それぞれの第二表示面α２の上縁を、可動表示ユニット５０ｂの開閉端（外端）側から開閉軸Ｌ１に近づくにつれて低くなるように傾斜させることで、第二表示面α２の上縁と下縁との間隔が、可動表示ユニット５０ｂの開閉端側から開閉軸Ｌ１に近づくにつれて狭くなるようにしている。このように、第二表示面α２をパース枠状に形成したことによって、可動表示ユニット５０ｂが開位置にある状態において、第二表示面α２による表示を実際よりも遠近感のある状態で行い、第一表示面α１及び第二表示面α２の表示内容を、迫力や臨場感のあるものとすることが可能となっている。
【００７５】
また、本実施態様の回胴式遊技機１０において、第二表示面α２は、図５に示すように、表示面側装飾部材５３ｃによってパース枠状に区画されているところ、この表示面側装飾部材５３ｃにおける余白部に、略三角状の下側露出窓５３ｃ１及び上側露出窓５３ｃ２を設けており、この下側露出窓５３ｃ１及び上側露出窓５３ｃ２を通じて第二表示体５２の表示面が露出した状態となっている。このため、第二表示体５２の表示面における、下側露出窓５３ｃ１から露出する部分を、第二表示面α２とは独立した表示面（下側サブ表示面α３）として機能させ、上側露出窓５３ｃ２から露出する部分も、第二表示面α２とは独立した表示面（上側サブ表示面α４）として機能させることができるようになっている（第二表示体５２として上記の液晶表示装置等を用いた場合には、その表示面のエリアごとに異なる独立した画像を表示することが可能である。）。したがって、上記のパース枠による遠近作用を奏させながらも、パース枠の余白部を有効に活用し、可動表示ユニット５０ｂの表現力を高めることが可能となっている。
【００７６】
２．３．２  可動表示ユニットの開閉機構の工夫
既に述べたように、第二表示体５２（可動表示ユニット５０ｂ）は、第一表示体５１（固定表示ユニット５０ａ）に対して回動（開閉）可能な構造となっている。可動表示ユニット５０ｂを開閉可能とする構造は、特に限定されないが、本実施態様の回胴式遊技機１０においては、図５に示すように、可動表示ユニット５０ｂの基端側における下端面から下向きに突出する下向き軸部５６を設けるとともに、可動表示ユニット５０ｂの基端側における上端面から上向きに突出する上向き軸部５７を設け、これらの下向き軸部５６及び上向き軸部５７を、図６及び図７に示すように、下側軸受部６１（図６）及び上側軸受部６２（図７）に軸支させている。下側軸受部６１及び上側軸受部６２はいずれも、前扉１０ｂ（図１）の支持躯体（前扉ベース）に対して固定された金属製の部材となっている。
【００７７】
ところで、本実施態様の回胴式遊技機１０では、既に述べたように、第二表示体５２として液晶表示装置を用いているところ、第二表示体５２は、電源ユニット３２（図４）と接続する必要がある。加えて、第二表示体５２は、主に演出に関わるものであるところ、サブ制御基板ユニット３１（図４）とも接続する必要がある。すなわち、第二表示体５２には、電力線や信号線等の配線を接続する必要がある。また、発光ランプ１６ａ，１６ｂ，１６ｃ，１６ｄのうち、発光ランプ１６ｃは、可動表示ユニット５０ｂに設けたところ、この発光ランプ１６ｃを制御する光源基板５８（図５）にも配線を接続する必要がある。ところが、可動表示ユニット５０ｂは、前扉１０ｂに対して開閉するものであるため、その配線に工夫を施さないと、配線が切断したり、配線のコネクタ部分が脱落したり、配線が遊技者に見えたりする虞がある。この点、本実施態様の回胴式遊技機１０では、図７に示すように、上向き軸部５７を中空に形成しており、この上向き軸部５７の中空部に上記の配線を通すようにしている。
【００７８】
さらに、本実施態様の回胴式遊技機１０では、可動表示ユニット５０ｂにおける上側軸受部６２（図７）を金属製の部材としたところ、これに軸支させる上向き軸部５７（図７）を樹脂等の非金属で形成すると、上向き軸部５７が摩耗等しやすくなる虞がある。一方、上向き軸部５７を金属で形成すると、上向き軸部５７の内部を通した配線が傷つきやすくなる虞がある。この点、本実施態様の回胴式遊技機１０においては、図７に示すように、上向き軸部５７を、その外周部を形成する外側筒状部５７ａと、その内周部を形成する内側筒状部５７ｂとで構成している。これにより、上向き軸部５７の外周部を摩耗等から保護しながらも、上向き軸部５７の内部に通された配線を保護することが可能となっている。
【００７９】
以上では、上向き軸部５７に関する工夫を説明したが、本実施態様の回胴式遊技機１０では、下向き軸部５６にも、以下の工夫を施している。すなわち、第二表示体５２（可動表示ユニット５０ｂ）が第一表示体５１（固定表示ユニット５０ａ）に対して勢いよく回動（開閉）すると、開閉時の衝撃によって表示ユニット５０が破損等するだけでなく、可動表示ユニット５０ｂを操作する手が可動表示ユニット５０ｂに挟まれる虞もある。この点、本実施態様の回胴式遊技機１０では、図６に示すように、下向き軸部５６の外周部にトルクリミッタ５９を装着している。このトルクリミッタ５９によって、下側軸受部６１に対する下向き軸部５６の摩擦抵抗（回転抵抗）を大きくして、固定表示ユニット５０ａに対して可動表示ユニット５０ｂが勢いよく回動しないようにすることが可能となっている。トルクリミッタ５９として中空なものを用いるとともに、それを装着する下向き軸部５６も中空として、下向き軸部５６の内周部を樹脂で形成する等の工夫を施せば、下向き軸部５６に上記の配線を通すことも可能である。また、上向き軸部５７にトルクリミッタ５９を装着することも可能である。
【符号の説明】
【００８０】
１０      回胴式遊技機
１０ａ    筺体本体
１０ｂ    前扉
１０ｂ１  リール窓
１０ｂ２  ステージ部
１０ｂ３  逆ステージ部
１１      メダル投入口
１２      メダル払出口
１３      第一リール（リール）
１４      第二リール（リール）
１５      第三リール（リール）
１６ａ    発光ランプ
１６ｂ    発光ランプ
１６ｃ    発光ランプ
１６ｄ    発光ランプ
１７ａ    スピーカー
１７ｂ    スピーカー
１７ｃ    スピーカー
１８      マックスベットボタン
１９      シングルベットボタン
２０      スタートレバー
２１      第一ストップボタン（ストップボタン）
２２      第二ストップボタン（ストップボタン）
２３      第三ストップボタン（ストップボタン）
２４      チャンスボタン
２５      払戻しボタン
２６      メニューボタン
３０      メイン制御基板ユニット
３１      サブ制御基板ユニット
３２      電源ユニット
３３      コネクタユニット
３４      リールユニット
３５      ホッパーユニット
５０      表示ユニット
５０ａ    固定表示ユニット
５０ｂ    可動表示ユニット
５１      第一表示体
５２      第二表示体
５２ａ    第二表示体用下側支持ローラ（第二表示体用下側支持部）
５２ｂ    第二表示体用上側支持ローラ（第二表示体用上側支持部）
５３    表示面側部材
５３ｃ  表示面側装飾部材
５３ｃ１  下側露出窓
５３ｃ２  上側露出窓
５４    背面側部材
５４ａ  下側フレーム
５４ａ１  下側ローラ用軸受部
５４ａ２  下側軸受用ブリッジ部
５４ｂ  上側フレーム
５４ｂ１  上側ローラ用軸受部
５４ｂ２  上側軸受用ブリッジ部
５４ｃ  背面側装飾部材
５５    メダル押出部
５６      下向き軸部
５７      上向き軸部
５７ａ    外側筒状部
５７ｂ    内側筒状部
５８      光源基板
５９      トルクリミッタ
６１      下側軸受部
６２      上側軸受部
α１    第一表示面
α２    第二表示面
α３      下側サブ表示面
α４      上側サブ表示面
β２    上向き面
β３    下向き面
γ      第二表示体（可動表示ユニット）の下端面とステージ部の上向き面との隙間
【図１】
2019037705.tif 000003
【図２】
2019037705.tif 000004
【図３】
2019037705.tif 000005
【図４】
2019037705.tif 000006
【図５】
2019037705.tif 000007
【図６】
2019037705.tif 000008
【図７】
2019037705.tif 000009
【図８】
2019037705.tif 000010